(57)【要約】【課題】規格の異なる二種類の相手側コネクタを共用できる複合型コネクタを提供する。【解決手段】コネクタ１０は、外形の異なる二種類の第１プラグ７又は第２プラグ８を共用して挿入できる接続開口２ｈを箱状の外部シェル２の一端部側に形成している。第１プラグ７を外部シェル２の接続開口２ｈに挿入したときは、第１プラグ７を外部シェル２の奥部まで進入でき、第２プラグ８を外部シェル２の接続開口２ｈに挿入したときは、外部シェル２に形成した一対の段差２ｄ・２ｄに、第２プラグ８が当接して進入を阻止することで、第１プラグ７と第２プラグ８を識別できる。【選択図】図６
2019016505.tif 000002
【特許請求の範囲】
【請求項１】
第１プラグ本体の前面から突出した直方体状の第１プラグシェル、及び、前記第１プラグシェルに内装した第１プラグハウジングを有する第１プラグと、第２プラグ本体の前面から突出し、前記第１プラグシェルの横幅より大きな横幅を形成した直方体状の第２プラグシェル、及び、前記第２プラグシェルに内装した第２プラグハウジングを有する第２プラグとが共用可能な複合型コネクタであって、
前記第１プラグハウジングの前面に開口した第１プラグ開口、又は、前記第２プラグハウジングの前面に開口した第２プラグ開口に挿入自在な平板状のヘッダを一端部側に突出した直方体状のハウジングと、
前記第１プラグシェル又は前記第２プラグシェルを導入可能に一方の面を開口した接続開口を有し、前部が前記ヘッダの周囲を囲い、後端部を前記ハウジングに装着した箱状の外部シェルと、を備え、
前記外部シェルは、
後部側に形成し、内壁間で前記第１プラグシェルを幅方向に案内する一対の第１側面板と、
前部側に形成し、内壁間で前記第２プラグシェルを幅方向に案内する一対の第２側面板と、を有し、
前記第１プラグシェルを前記外部シェルの接続開口に挿入したときは、前記第１プラグシェルが一対の前記第１側面板の間に進出することを許容し、
前記第２プラグシェルを前記外部シェルの接続開口に挿入したときは、前記第２プラグシェルの端面が一対の前記第１側面板の端縁に当接して、前記第２プラグシェルが一対の前記第１側面板の間に進出することを阻止される、複合型コネクタ。
【請求項２】
前記ハウジングの内部に配列され、前記第１プラグハウジングの底面に配置された第１プラグコンタントと接続自在な複数のベローズ形の第１コンタクトと、
前記ヘッダに対向配列され、記第２プラグハウジングの内部に対向配置された第２プラグコンタント及び第３プラグコンタントと接続自在な一組の第２コンタクト及び第３コンタクトと、を備えている、請求項１記載の複合型コネクタ。
【請求項３】
前記第１コンタクトの一方の端部に形成した第１リード端子を整列すると共に、前記第２プラグコンタント及び前記第３プラグコンタントの一方の端部に形成した第２リード端子及び第３リード端子を整列するストレインリリーフ板を更に備えている、請求項２記載の複合型コネクタ。
【請求項４】
前記外部シェルは、プリント基板の端縁から方形に切り欠いたスロットに跨った状態で、前記プリント基板に実装している、請求項１から３のいずれかに記載の複合型コネクタ。
【請求項５】
前記外部シェルは、電磁波を遮蔽する金属板からなる、請求項１から４のいずれかに記載の複合型コネクタ。
【請求項６】
前記外部シェルを底部側から覆う、電磁遮蔽が容易なシールドカバーを更に備えている、請求項１から５のいずれかに記載の複合型コネクタ。
【発明の詳細な説明】
【技術分野】
【０００１】
本発明は、複合型コネクタに関する。特に、ＵＳＢプラグ、又は、ＨＤＭＩプラグなどの規格の異なる二種類の相手側コネクタを、共用して電気的に接続できる複合型コネクタの構造に関する。
【背景技術】
【０００２】
パソコン本体とキーボード、マウス、又は、モデムなどの周辺機器とを電気的に接続するデータ伝送路の規格の一つとして、ＵＳＢ（Ｕｎｉｖｅｒｓａｌ  Ｓｅｒｉａｌ  Ｂｕｓ）が知られている。
【０００３】
例えば、パソコンなどの電子機器は、ＵＳＢコネクタ（リセプタクル）を搭載している。ＵＳＢケーブルの端末に設けた相手側のＵＳＢコネクタ（プラグ）をＵＳＢコネクタ（リセプタクル）に接続することで、ＵＳＢケーブルに接続した周辺機器に電子機器から給電できると共に、周辺機器と電子機器間で高速の信号を伝送できる。
【０００４】
又、映像データ及び音声データをデジタル信号で伝送する通信インターフェースの規格の一つとして、高精細度マルチメディアインターフェース（Ｈｉｇｈ−Ｄｅｆｉｎｉｔｉｏｎ  Ｍｕｌｔｉｍｅｄｉａ  Ｉｎｔｅｒｆａｃｅ）いわゆる、ＨＤＭＩ（登録商標）が知られている。ＨＤＭＩは、映像データ、音声データ、及び制御信号を一本のケーブルで伝送できるというメリットがあることから、その普及が期待されている。
【０００５】
近年では、ＨＤＭＩコネクタ（リセプタクル）をパソコンなどの電子機器に搭載し、ＨＤＭＩケーブルの端末に接続したＡＶ機器に、高周波の映像信号を伝送することが可能になっている。
【０００６】
このように、電子機器間を接続する様々なインターフェース規格が出現することで、パソコンなどの電子機器には、異種のコネクタが多数搭載され、この電子機器には、コネクタを配置するスペースがなくなってきている。このため、異種類のコネクタを複合化して一体化することで、電子機器を省スペース化することが望まれている。
【０００７】
Ｓｅｒｉａｌ・ＡＴＡ（ＳＡＴＡ）は、パソコンに外付けハードディスクなどを接続するためのインターフェースの一種である。ｅＳＡＴＡは、ＳＡＴＡに準拠しており、ＳＡＴＡより高速のデータ伝送を可能にしている。そして、ｅＳＡＴＡプラグとＨＤＭＩプラグを共用できる複合型コネクタが開示されている（例えば、特許文献１参照）。
【先行技術文献】
【特許文献】
【０００８】
【特許文献１】特開２００７−１７２９０７号公報
【発明の概要】
【発明が解決しようとする課題】
【０００９】
特許文献１による複合型コネクタは、第１のコネクタと第２のコネクタを備えている。第１のコネクタは、ｅＳＡＴＡプラグと接続できる。第２のコネクタは、ＨＤＭＩプラグと接続できる。
【００１０】
第１のコネクタは、ｅＳＡＴＡプラグか挿入自在な第１開口を有する第１ハウジングと、第１ハウジングの外周を囲う第１シェルを備えている。第２のコネクタは、ＨＤＭＩプラグか挿入自在な第２開口を有する第２ハウジングと、第２ハウジングの外周を囲う第２シェルを備えている。
【００１１】
又、特許文献１による複合型コネクタは、絶縁性のボディと金属製のケースを備えている。ボディは、第１ハウジングを上部に配置し、第２のコネクタを第２開口側から導入可能な収容室を有している。ケースは、第１のコネクタをボディの上部に配置した状態で、第１のコネクタ及びボディの外周を囲っている。
【００１２】
特許文献１による複合型コネクタは、第１のコネクタと第２のコネクタの横方向（幅方向）のコネクタ実装占有寸法を、第１のコネクタと第２のコネクタを複合一体化していない場合に比べて半減できるので、電子機器の省スペース化を実現できる、としている。
【００１３】
しかしながら、特許文献１による複合型コネクタは、プリント基板に実装可能なプリント基板用コネクタであり、第１のコネクタと第２のコネクタをプリント基板の高さ方向に積層しているので、プリント基板への実装高さを高くしている、という問題がある。
【００１４】
コネクタのプリント基板への実装高さを低くすることで、いわゆる、コネクタを低背化することで、パソコンなどの電子機器の薄型化に貢献できる。そして、規格の異なる二種類の相手側コネクタを共用して電気的に接続でき、低背化した複合型コネクタが求められている。そして、以上のことが本発明の課題といってよい。
【００１５】
本発明は、このような課題に鑑みてなされたものであり、規格の異なる二種類の相手側コネクタを共用して電気的に接続でき、低背化した複合型コネクタを提供することを目的とする。
【課題を解決するための手段】
【００１６】
本発明者は、規格として外形の異なる二種類の相手側コネクタを共用して挿入できる接続開口を箱状の外部シェルの一端部側に形成し、一方の相手側コネクタを外部シェルの接続開口に挿入したときは、一方の相手側コネクタを外部シェルの奥部まで進入でき、他方の相手側コネクタを外部シェルの接続開口に挿入したときは、外部シェルに形成した段差に、他方の相手側コネクタが当接して進入を阻止することで、一方の相手側コネクタと他方の相手側コネクタを識別できると考え、これに基づいて、以下のような新たな低背化した複合型コネクタを発明するに至った。
【００１７】
（１）本発明による複合型コネクタは、第１プラグ本体の前面から突出した直方体状の第１プラグシェル、及び、前記第１プラグシェルに内装した第１プラグハウジングを有する第１プラグと、第２プラグ本体の前面から突出し、前記第１プラグシェルの横幅より大きな横幅を形成した直方体状の第２プラグシェル、及び、前記第２プラグシェルに内装した第２プラグハウジングを有する第２プラグとが共用可能な複合型コネクタであって、前記第１プラグハウジングの前面に開口した第１プラグ開口、又は、前記第２プラグハウジングの前面に開口した第２プラグ開口に挿入自在な平板状のヘッダを一端部側に突出した直方体状のハウジングと、前記第１プラグシェル又は前記第２プラグシェルを導入可能に一方の面を開口した接続開口を有し、前部が前記ヘッダの周囲を囲い、後端部を前記ハウジングに装着した箱状の外部シェルと、を備え、前記外部シェルは、後部側に形成し、内壁間で前記第１プラグシェルを幅方向に案内する一対の第１側面板と、前部側に形成し、内壁間で前記第２プラグシェルを幅方向に案内する一対の第２側面板と、を有し、前記第１プラグシェルを前記外部シェルの接続開口に挿入したときは、前記第１プラグシェルが一対の前記第１側面板の間に進出することを許容し、前記第２プラグシェルを前記外部シェルの接続開口に挿入したときは、前記第２プラグシェルの端面が一対の前記第１側面板の端縁に当接して、前記第２プラグシェルが一対の前記第１側面板の間に進出することを阻止される。
【００１８】
（２）本発明による複合型コネクタは、前記ハウジングの内部に配列され、前記第１プラグハウジングの底面に配置された第１プラグコンタントと接続自在な複数のベローズ形の第１コンタクトと、前記ヘッダに対向配列され、記第２プラグハウジングの内部に対向配置された第２プラグコンタント及び第３プラグコンタントと接続自在な一組の第２コンタクト及び第３コンタクトと、を備えている。
【００１９】
（３）本発明による複合型コネクタは、前記第１コンタクトの一方の端部に形成した第１リード端子を整列すると共に、前記第２プラグコンタント及び前記第３プラグコンタントの一方の端部に形成した第２リード端子及び第３リード端子を整列するストレインリリーフ板を更に備えていることが好ましい。
【００２０】
（４）前記外部シェルは、プリント基板の端縁から方形に切り欠いたスロットに跨った状態で、前記プリント基板に実装していることが好ましい。
【００２１】
（５）前記外部シェルは、電磁波を遮蔽する金属板からなることが好ましい。
【００２２】
（６）本発明による複合型コネクタは、前記外部シェルを底部側から覆う、電磁遮蔽が容易なシールドカバーを更に備えていることが好ましい。
【発明の効果】
【００２３】
本発明による複合型コネクタは、規格として外形の異なる二種類の第１プラグ又は第２プラグを共用して挿入できる接続開口を箱状の外部シェルの一端部側に形成し、第１プラグを外部シェルの接続開口に挿入したときは、第１プラグを外部シェルの奥部まで進入でき、第２プラグを外部シェルの接続開口に挿入したときは、外部シェルに形成した段差に、第２プラグが当接して進入を阻止することで、第１プラグと第２プラグを識別できる、低背化した複合型コネクタを提供できる。
【図面の簡単な説明】
【００２４】
【図１】本発明の一実施形態による複合型コネクタの構成を示す斜視図であり、第１プラグを対向配置した状態図である。
【図２】前記実施形態による複合型コネクタの構成を示す斜視図であり、第２プラグを対向配置した状態図である。
【図３】前記実施形態による複合型コネクタの構成を示す斜視図であり、第１プラグを対向配置した状態を図１と異なる方向から観た図である。
【図４】前記実施形態による複合型コネクタの構成を示す斜視図であり、第２プラグを対向配置した状態を図２と異なる方向から観た図である。
【図５】前記実施形態による複合型コネクタの構成を示す図であり、図５（Ａ）は、複合型コネクタの正面図、図５（Ｂ）は、複合型コネクタの平面図、図５（Ｃ）は、複合型コネクタの右側面図、図５（Ｄ）は、複合型コネクタの左側面図、図５（Ｅ）は、複合型コネクタの背面図、図５（Ｆ）は、複合型コネクタの下面図である。
【図６】前記実施形態による複合型コネクタの構成を示す斜視分解組立図である。
【図７】前記実施形態による複合型コネクタに備わる第２コンタクト及び外部シェルの構成を示す図であり、図７（Ａ）は、第２コンタクトの斜視図、図７（Ｂ）は、外部シェルの斜視図である。
【図８】前記実施形態による複合型コネクタに備わる第３コンタクト及び外部シェルの構成を示す図であり、図８（Ａ）は、第３コンタクトの斜視図、図８（Ｂ）は、外部シェルの斜視図である。
【図９】前記実施形態による複合型コネクタに備わる外部シェルの構成を示す図であり、図９（Ａ）は、外部シェルの正面図、図９（Ｂ）は、外部シェルの平面図、図９（Ｃ）は、外部シェルの右側面図、図９（Ｄ）は、外部シェルの左側面図、図９（Ｅ）は、外部シェルの背面図、図９（Ｆ）は、外部シェルの下面図である。
【図１０】前記実施形態による複合型コネクタに備わるストレインリリーフ板の構成を示す斜視図であり、図１０（Ａ）は、第２コンタクトの第２リード端子をストレインリリーフ板に実装した状態図、図１０（Ｂ）は、第３コンタクトの第３リード端子をストレインリリーフ板に実装した状態図である。
【図１１】前記実施形態による複合型コネクタに備わるシールドカバーの構成を示す図であり、図１１（Ａ）は、シールドカバーの正面図、図１１（Ｂ）は、シールドカバーの平面図、図１１（Ｃ）は、シールドカバーの右側面図、図１１（Ｄ）は、シールドカバーの左側面図、図１１（Ｅ）は、シールドカバーの背面図、図１１（Ｆ）は、シールドカバーの下面図である。
【図１２】前記実施形態による複合型コネクタに第１プラグを挿入した状態を第１プラグの縦断面で示した図である。
【図１３】前記実施形態による複合型コネクタに第２プラグを挿入した状態を第２プラグの縦断面で示した図である。
【図１４】前記実施形態による複合型コネクタの縦断面図であり、図１４（Ａ）は、第１プラグを複合型コネクタに挿入する前の状態図、図１４（Ｂ）は、第１プラグを複合型コネクタに挿入した状態図、図１４（Ｃ）は、第２プラグを複合型コネクタに挿入する前の状態図、図１４（Ｄ）は、第２プラグを複合型コネクタに挿入した状態図である。
【発明を実施するための形態】
【００２５】
以下、図面を参照して本発明を実施するための形態を説明する。
［複合型コネクタの構成］
最初に、本発明の一実施形態による複合型コネクタの構成を説明する。
【００２６】
なお、複合型コネクタに接続する第１プラグをＵＳＢコネクタ（プラグ）とし、第２プラグをＨＤＭＩコネクタ（プラグ）として説明するが、第１プラグ及び第２プラグは、これらの規格されたコネクタに限定されない。
【００２７】
図１は、本発明の一実施形態による複合型コネクタの構成を示す斜視図であり、第１プラグを対向配置した状態図である。
【００２８】
図２は、前記実施形態による複合型コネクタの構成を示す斜視図であり、第２プラグを対向配置した状態図である。
【００２９】
図３は、前記実施形態による複合型コネクタの構成を示す斜視図であり、第１プラグを対向配置した状態を図１と異なる方向から観た図である。
【００３０】
図４は、前記実施形態による複合型コネクタの構成を示す斜視図であり、第２プラグを対向配置した状態を図２と異なる方向から観た図である。
【００３１】
図５は、前記実施形態による複合型コネクタの構成を示す図であり、図５（Ａ）は、複合型コネクタの正面図、図５（Ｂ）は、複合型コネクタの平面図、図５（Ｃ）は、複合型コネクタの右側面図、図５（Ｄ）は、複合型コネクタの左側面図、図５（Ｅ）は、複合型コネクタの背面図、図５（Ｆ）は、複合型コネクタの下面図である。
【００３２】
図６は、前記実施形態による複合型コネクタの構成を示す斜視分解組立図である。
【００３３】
図７は、前記実施形態による複合型コネクタに備わる第２コンタクト及び外部シェルの構成を示す図であり、図７（Ａ）は、第２コンタクトの斜視図、図７（Ｂ）は、外部シェルの斜視図である。
【００３４】
図８は、前記実施形態による複合型コネクタに備わる第３コンタクト及び外部シェルの構成を示す図であり、図８（Ａ）は、第３コンタクトの斜視図、図８（Ｂ）は、外部シェルの斜視図である。
【００３５】
図９は、前記実施形態による複合型コネクタに備わる外部シェルの構成を示す図であり、図９（Ａ）は、外部シェルの正面図、図９（Ｂ）は、外部シェルの平面図、図９（Ｃ）は、外部シェルの右側面図、図９（Ｄ）は、外部シェルの左側面図、図９（Ｅ）は、外部シェルの背面図、図９（Ｆ）は、外部シェルの下面図である。
【００３６】
図１０は、前記実施形態による複合型コネクタに備わるストレインリリーフ板の構成を示す斜視図であり、図１０（Ａ）は、第２コンタクトの第２リード端子をストレインリリーフ板に実装した状態図、図１０（Ｂ）は、第３コンタクトの第３リード端子をストレインリリーフ板に実装した状態図である。
【００３７】
図１１は、前記実施形態による複合型コネクタに備わるシールドカバーの構成を示す図であり、図１１（Ａ）は、シールドカバーの正面図、図１１（Ｂ）は、シールドカバーの平面図、図１１（Ｃ）は、シールドカバーの右側面図、図１１（Ｄ）は、シールドカバーの左側面図、図１１（Ｅ）は、シールドカバーの背面図、図１１（Ｆ）は、シールドカバーの下面図である。
【００３８】
図１２は、前記実施形態による複合型コネクタに第１プラグを挿入した状態を第１プラグの縦断面で示した図である。図１３は、前記実施形態による複合型コネクタに第２プラグを挿入した状態を第２プラグの縦断面で示した図である。
【００３９】
（全体構成）
図１から図４を参照すると、本発明の一実施形態による複合型コネクタ（以下、コネクタと略称する）１０は、第１プラグ７と第２プラグ８を共用して接続できる。コネクタ１０は、プリント基板９ｐに実装されている。
【００４０】
図１又は図３を参照して、第１プラグ７をコネクタ１０に接続することで、第１プラグ７とプリント基板９ｐを電気的に接続できる。図２又は図４を参照して、第２プラグ８をコネクタ１０に接続することで、第２プラグ８とプリント基板９ｐとを電気的に接続できる。
【００４１】
図１又は図３を参照すると、第１プラグ７は、直方体状の第１プラグシェル７１と第１プラグハウジング７２を備えている。第１プラグシェル７１は、第１プラグ本体７ｂの前面から突出している。第１プラグハウジング７２は、第１プラグシェル７１に内装されている（図３参照）。又、第１プラグハウジング７２は、矩形の第１プラグ開口７ｈを前面に開口している（図３参照）。
【００４２】
図２又は図４を参照すると、第２プラグ８は、直方体状の第２プラグシェル８１と第２プラグハウジング８２を備えている。第２プラグシェル８１は、第２プラグ本体８ｂの前面から突出している。第２プラグハウジング８２は、第２プラグシェル８１に内装されている（図４参照）。又、第２プラグハウジング８２は、略矩形の第２プラグ開口８ｈを前面に開口している（図４参照）。
【００４３】
図３と図４を対比すると、第１プラグシェル７１の横幅Ｗ１と第２プラグシェル８１の横幅Ｗ２は、Ｗ１＜Ｗ２の関係にある。つまり、第２プラグシェル８１の横幅Ｗ２は、第１プラグシェル７１の横幅Ｗ１より大きな横幅を形成している。又、第１プラグシェル７１の高さＨ１と第２プラグシェル８１の高さＨ２は、Ｈ１＞Ｈ２の関係にあるが、これらの作用については後述する。
【００４４】
図１から図９を参照すると、コネクタ１０は、直方体状のハウジング１と箱状の外部シェル２を備えている。ハウジング１は、平板状のヘッダ１ｈを一端部側に突出している（図６から図８参照）。ヘッダ１ｈは、第１プラグ開口７ｈ又は第２プラグ開口８ｈに挿入できる（図３又は図４参照）。
【００４５】
図１から図９を参照すると、外部シェル２は、一方の面を開口した接続開口２ｈを有している（図１又は図２及び図６又は図９（Ａ）参照）。又、外部シェル２は、その前部がヘッダ１ｈの周囲を囲い、後端部をハウジング１に装着している。
【００４６】
又、図１から図６及び図９を参照すると、外部シェル２は、一対の第１側面板２１１・２１１を後部側に形成している。一対の第１側面板２１１・２１１は、それらの内壁間で第１プラグシェル７１を幅方向に案内できる。
【００４７】
又、図１から図６及び図９を参照すると、外部シェル２は、一対の第２側面板２２１・２２１を前部側に形成している。一対の第２側面板２２１・２２１は、それらの内壁間で第２プラグシェル８１を幅方向に案内できる。このように、外部シェル２は、接続開口２ｈの入口側から奥部に向けて幅方向に狭くなる一対の段差２ｄ・２ｄを形成している。
【００４８】
図１又は図３及び図１２を参照して、第１プラグシェル７１を外部シェル２の接続開口２ｈに挿入したときは、第１プラグシェル７１が一対の第１側面板２１１・２１１の間に進出することを許容できる。
【００４９】
一方、図２又は図４及び図１３を参照して、第２プラグシェル８１を外部シェル２の接続開口２ｈに挿入したときは、第２プラグシェル８１の端面が一対の第１側面板２１１・２１１の端縁に当接して、第２プラグシェル８１が一対の第１側面板２１１・２１１の間に進出することを阻止される。
【００５０】
図１から図１３を参照すると、実施形態によるコネクタ１０は、外形の異なる二種類の第１プラグ７又は第２プラグ８を共用して挿入できる接続開口２ｈを箱状の外部シェル２の一端部側に形成し、第１プラグ７を外部シェル２の接続開口２ｈに挿入したときは、第１プラグ７を外部シェル２の奥部まで進入でき、第２プラグ８を外部シェル２の接続開口２ｈに挿入したときは、外部シェル２に形成した一対の段差２ｄ・２ｄに、第２プラグ８が当接して進入を阻止することで、第１プラグ７と第２プラグ８を識別できる。
【００５１】
従来技術による複合型コネクタは、規格として外形の異なる二種類のプラグに接続可能な二つのコネクタを高さ方向に積み重ねている。一方、図１から図１３を参照すると、実施形態によるコネクタ１０は、二種類のプラグを共用の接続開口２ｈに挿入して接続できるので、従来の複合型コネクタと比べて低背化できる。
【００５２】
（コンタクトの構成）
次に、実施形態によるコネクタ１０に備わるコンタクトの構成を説明する。図６から図８を参照すると、実施形態によるコネクタ１０は、複数のベローズ形の第１コンタクト３と、一組の第２コンタクト４２及び第３コンタクト４３を備えている。
【００５３】
図６を参照すると、第１コンタクト３は、一端部側にリード端子３ｒを有し、他端部側に接続端子３ｓを有している。第１コンタクト３は、その中間部がハウジング１に配列されている。第１コンタクト３は、接続端子３ｓがハウジング１に片持ち状に支持されている（図１４参照）。
【００５４】
図３又は図１４（Ａ）を参照すると、第１プラグハウジング７２は、複数の第１プラグコンタント７ｓを底面に配置している。第１プラグシェル７１を外部シェル２の接続開口２ｈに挿入すると、第１コンタクト３の接続端子３ｓを第１プラグコンタント７ｓに接触できる（図１４（Ｂ）参照）。これにより、第１コンタクト３と第１プラグコンタント７ｓを電気的に接続できる。
【００５５】
図７（Ａ）を参照すると、第２コンタクト４２は、クランク状に形成している。第２コンタクト４２は、一端部側にリード端子４２ｒを有し、他端部側に接続端子４２ｓを有している。第２コンタクト４２は、その中間部がハウジング１に一体にモールドされている（図６参照）。そして、第２コンタクト４２は、接続端子４２ｓをヘッダ１ｈの上面に表出している（図６参照）。
【００５６】
図８（Ｂ）を参照すると、第３コンタクト４３は、クランク状に形成している。第３コンタクト４３は、一端部側にリード端子４３ｒを有し、他端部側に接続端子４３ｓを有している。第３コンタクト４３は、その中間部がハウジング１に一体にモールドされている（図６参照）。そして、第３コンタクト４３は、接続端子４３ｓをヘッダ１ｈの下面に表出している（図６参照）。
【００５７】
図６から図８を参照すると、このように、複数の第２コンタクト４２と複数の第３コンタクト４３は、ヘッダ１ｈに対向配列されている。つまり、複数の第２コンタクト４２と複数の第３コンタクト４３は、デュアルインライン形に配置されている。
【００５８】
図４又は図１３を参照すると、第２プラグハウジング８２は、複数の第２プラグコンタント８２ｓを上内壁に配置している。又、第２プラグハウジング８２は、複数の第３プラグコンタント８３ｓを上内壁に配置している。
【００５９】
図４を参照して、第２プラグシェル８１を外部シェル２の接続開口２ｈに挿入すると、ヘッダ１ｈを相対的に第２プラグ開口８ｈに進入できるので（図１４（Ｄ）参照）、第２コンタクト４２の接続端子４２ｓを第２プラグコンタント８２ｓに接触できると共に、第３コンタクト４３の接続端子４３ｓを第３プラグコンタント８３ｓに接触できる。これにより、第２コンタクト４２と第２プラグコンタント８２ｓを電気的に接続できると共に、第３コンタクト４３と第３プラグコンタント８３ｓを電気的に接続できる。
【００６０】
（ストレインリリーフ板の構成）
次に、実施形態によるコネクタ１０に備わるストレインリリーフ（ｓｔｒａｉｎ  ｒｅｌｉｅｆ）板の構成を説明する。図６又は図１０を参照すると、コネクタ１０は、矩形のストレインリリーフ板５を更に備えている。ストレインリリーフ板５は、ハウジング１の後部側に配置している。
【００６１】
図６を参照すると、ストレインリリーフ板５は、第１の穴５１ｈを後列側に配列している。第１の穴５１ｈには、第１コンタクト３のリード端子３ｒを挿入できる。第１コンタクト３のリード端子３ｒを第１の穴５１ｈに挿入することで、複数のリード端子３ｒを整列できる。
【００６２】
図６を参照すると、ストレインリリーフ板５は、第２の穴５２ｈを前列側に配列している。第２の穴５２ｈには、第２コンタクト４２のリード端子４２ｒを挿入できる（図１０（Ａ）参照）。第２コンタクト４２のリード端子４２ｒを第２の穴５２ｈに挿入することで、複数のリード端子４２ｒを整列できる。
【００６３】
図６を参照すると、ストレインリリーフ板５は、第３の穴５３ｈを中間列に配列している。第３の穴５３ｈには、第３コンタクト４３のリード端子４３ｒを挿入できる（図１０（Ｂ）参照）。第３コンタクト４３のリード端子４３ｒを第３の穴５３ｈに挿入することで、複数のリード端子４３ｒを整列できる。
【００６４】
このように、ストレインリリーフ板５は、複数のリード端子３ｒ、リード端子４２ｒ、及び、リード端子４３ｒを整列することで、これらのリード端子に有害な力を加えないように保護できる。
【００６５】
（ハウジングの構成）
次に、実施形態によるハウジング１の構成を説明する。図６から図８を参照すると、ハウジング１は、絶縁体からなることが好ましく、絶縁性を有する合成樹脂を成形して、直方体状のハウジング１を得ることができる。
【００６６】
図６から図８を参照すると、ハウジング１は、ヘッダ１ｈを一端部側に突出している。又、ハウジング１は、一対の支持アーム１ａ・１ａを他端部側に突出している。一対の支持アーム１ａ・１ａは、ストレインリリーフ板５の両端部を支持できる。
【００６７】
図６を参照して、ハウジング１は、ヘッダ１ｈを先頭にして、接続開口２ｈと反対側から外部シェル２に挿入できる。そして、外部シェル２は、ハウジング１の周囲を囲うことができる。ハウジング１には、外部シェル２を位置決めするための一対の突起１ｂ・１ｂを中間部の両側から、相反する向きに突出している。
【００６８】
（外部シェルの構成）
次に、実施形態による外部シェル２の構成を説明する。図１から図６又は図９を参照すると、外部シェル２は、電磁波を遮蔽する金属板からなり、電磁波を遮蔽する金属板からなる展開板を成形して、一方の面を開口した箱状の外部シェル２を得ることができる。
【００６９】
図１から図５を参照して、ハウジング１の周囲を外部シェル２で囲うことで、ハウジング１の内部に配置された第１コンタクト３、一組の第２コンタクト４２及び第３コンタクト４３に不要な電磁波が入力することを遮蔽でき、第１コンタクト３、一組の第２コンタクト４２及び第３コンタクト４３から発振する不要な電磁波が外部に漏洩することを遮蔽できる。このように、実施形態によるコネクタ１０は、不要な電磁波を遮蔽するシールドコネクタということもできる。
【００７０】
図１又は図２及び図１２又は図１３を参照すると、接続開口２ｈは、上段側の横幅より下段側の横幅が狭い凸状に形成している。図１又は図３及び図１２を参照して、第１プラグシェル７１を外部シェル２の接続開口２ｈに挿入したときは、下段側の一対の第２側面板２２１・２２１の内壁、上面板２２２の内壁、及び、下面板２２３の内壁に第１プラグシェル７１が案内されて、第１プラグシェル７１を外部シェル２の内部に進入できる。第１プラグシェル７１を外部シェル２の奥部に進出すると、一対の第１側面板２１１・２１１の間に進出できる。
【００７１】
図５又は図９を参照すると、一対の第１側面板２１１・２１１は、対向配置した一対の板ばね２１２・２１２を有している。板ばね２１２は、第１側面板２１１に片持ち支持されている。板ばね２１２は、その先端部側が外部シェル２の内部に向かって傾斜配置されている。一対の板ばね２１２・２１２は、外部シェル２の内部に導入された第１プラグシェル７１の側面（図１又は図３参照）に力を付勢できる。
【００７２】
又、図９を参照すると、下面板２２３は、一対の板ばね２２４・２２４を有している。板ばね２２４は、下面板２２３に片持ち支持されている。板ばね２２４は、その先端部側が外部シェル２の内部に向かって傾斜配置されている。一対の板ばね２２４・２２４は、外部シェル２の内部に導入された第１プラグシェル７１の下面（図１又は図３参照）に力を付勢できる。
【００７３】
このように、外部シェル２は、第１プラグシェル７１を内部に挿入した状態で、第１プラグシェル７１の外面に力を付勢する一対の板ばね２１２・２１２及び一対の板ばね２２４・２２４を備えているので、コネクタ１０から第１プラグ７が容易に脱落することを防止できる。
【００７４】
図２又は図４及び図１３を参照して、第２プラグシェル８１を外部シェル２の接続開口２ｈに挿入したときは、上段側の一対の第２側面板２２１・２２１の内壁、上面板２２２の内壁、及び、上段側と下段側の段差に第２プラグシェル８１が案内されて、第２プラグシェル８１を外部シェル２の内部に進入できる。
【００７５】
又、図５又は図９を参照すると、一対の第２側面板２２１・２２１は、対向配置した一対の板ばね２２５・２２５を有している。板ばね２２５は、第２側面板２２１に片持ち支持されている。板ばね２２５は、その先端部側が外部シェル２の内部に向かって傾斜配置されている。一対の板ばね２２５・２２５は、外部シェル２の内部に導入された第２プラグシェル８１の側面（図２又は図４参照）に力を付勢できる。
【００７６】
このように、外部シェル２は、第２プラグシェル８１を内部に挿入した状態で、第２プラグシェル８１の側面に力を付勢する一対の板ばね２２５・２２５を備えているので、コネクタ１０から第２プラグ８が容易に脱落することを防止できる。
【００７７】
図５又は図９を参照すると、外部シェル２は、一対の脚片２１ｆ・２１ｆを更に備えている。一対の脚片２１ｆ・２１ｆは、一対の第１側面板２１１・２１１から相反する向きに延出し、更に、上面板２２２側に向かって略平行に延出している。
【００７８】
図６を参照すると、プリント基板９ｐは、その端縁から方形に切り欠いたスロット９ｓを形成している。スロット９ｓの周縁には、一対のスルーホール９１ｔ・９１ｔを開口している。
【００７９】
図６を参照すると、コネクタ１０は、プリント基板９ｐの裏面側からスロット９ｓに導入できる。そして、コネクタ１０がスロット９ｓに跨った状態で、脚片２１ｆの先端部をスルーホール９１ｔに挿入して、脚片２１ｆの先端部をスルーホール９１ｔにハンダ接合することで、コネクタ１０をプリント基板９ｐに実装できる（図１から図５参照）。
【００８０】
図５又は図６を参照すると、プリント基板９ｐに形成した複数のスルーホールには、複数のリード端子３ｒ、リード端子４２ｒ、及び、リード端子４３ｒをハンダ接合することもできる。実施形態によるコネクタ１０は、プリント基板に形成したスロットに跨った状態で、プリント基板に実装した、ストラドルマウント形（ｓｔｒａｄｄｌｅ  ｍｏｕｎｔ  ｔｙｐｅ）コネクタということもできる。
【００８１】
（シールドカバーの構成）
次に、実施形態によるコネクタ１０に備わるシールドカバーの構成を説明する。図６又は図１１を参照すると、コネクタ１０は、箱状のシールドカバー６を更に備えている。シールドカバー６は、外部シェル２を底部側から覆っている。
【００８２】
図６又は図１１を参照すると、シールドカバー６は、電磁波を遮蔽する金属板からなり、電磁波を遮蔽する金属板からなる展開板を成形して、上面を開口した箱状のシールドカバー６を得ることができる。
【００８３】
図６又は図１１を参照すると、シールドカバー６は、矩形に形成した主面板６１、一対の側面板６１１・６１１、及び、背面板６１２を有している。一対の側面板６１１・６１１は、主面板６１の両側部から連続して略直角に折り曲げられている。背面板６１２は、主面板６１の端部から連続して略直角に折り曲げられている。
【００８４】
図６を参照すると、シールドカバー６は、主面板６１の底面を外部シェル２の下面板２２３の外壁に当接できる。又、一対の側面板６１１・６１１は、一対の第１側面板２１１・２１１の外壁に沿ってスライドできる。
【００８５】
図９を参照すると、外部シェル２は、一対のランス２１ｒ・２１ｒを一対の第１側面板２１１・２１１の中間部の外壁から突出している。又、外部シェル２は、一対のランス２２ｒ・２２ｒを一対の第１側面板２１１・２１１の後部の外壁から突出している。
【００８６】
一方、図１１を参照すると、シールドカバー６は、外部シェル２のランス２１ｒに係合可能な係止孔６１ｈを側面板６１１の中間部に開口している。又、シールドカバー６は、外部シェル２のランス２２ｒに係合可能な係止孔６２ｈを側面板６１１の後部に開口している。
【００８７】
図６を参照して、主面板６１を外部シェル２の下面板２２３に向かって進出すると、ランス２１ｒに係止孔６１ｈを係合できると共に、ランス２２ｒに係止孔６２ｈを係合できる。これにより、シールドカバー６を外部シェル２の底部に固定できる。
【００８８】
図６又は図１１を参照すると、外部シェル２は、一対の脚片６１ｆ・６１ｆを更に備えている。一対の脚片６１ｆ・６１ｆは、一対の側面板６１１・６１１の前部から相反する向きに延出し、更に、上部に向かって略平行に延出している。又、外部シェル２は、一対の脚片６２ｆ・６２ｆを一対の側面板６１１・６１１の後部から突出している。
【００８９】
図６を参照して、脚片６１ｆの先端部をスルーホール９１ｔに挿入して、脚片６１ｆの先端部をスルーホール９１ｔにハンダ接合すると共に、脚片６２ｆの先端部をスルーホール９２ｔに挿入して、脚片６２ｆの先端部をスルーホール９２ｔにハンダ接合することで、シールドカバー６は、コネクタ１０をプリント基板９ｐに保持できる（図１から図５参照）。
【００９０】
［複合型コネクタの作用］
次に、実施形態によるコネクタ１０の動作を説明しながら、コネクタ１０の作用及び効果を説明する。図１４は、前記実施形態による複合型コネクタの縦断面図であり、図１４（Ａ）は、第１プラグを複合型コネクタに挿入する前の状態図、図１４（Ｂ）は、第１プラグを複合型コネクタに挿入した状態図、図１４（Ｃ）は、第２プラグを複合型コネクタに挿入する前の状態図、図１４（Ｄ）は、第２プラグを複合型コネクタに挿入した状態図である。
【００９１】
図１又は図１２及び図１４（Ａ）を参照して、第１プラグシェル７１を外部シェル２の接続開口２ｈに向かって進出したときは、下段側の一対の第２側面板２２１・２２１の内壁、上面板２２２の内壁、及び、下面板２２３の内壁に第１プラグシェル７１が案内されて、第１プラグシェル７１を外部シェル２の内部に進入できる。
【００９２】
図１４（Ｂ）を参照して、第１プラグシェル７１を外部シェル２の奥部まで進入したときは、ヘッダ１ｈを相対的に第１プラグ開口７ｈ（図３参照）に挿入できる。又、第１プラグシェル７１を外部シェル２の奥部まで進入したときは、第１コンタクト３の接続端子３ｓを第１プラグコンタント７ｓに接触できる。これにより、第１コンタクト３と第１プラグコンタント７ｓを電気的に接続できる。
【００９３】
図２又は図１３及び図１４（Ｃ）を参照して、第２プラグシェル８１を外部シェル２の接続開口２ｈに向かって進出したときは、上段側の一対の第２側面板２２１・２２１の内壁、上面板２２２の内壁、及び、上段側と下段側の段差に第２プラグシェル８１が案内されて、第２プラグシェル８１を外部シェル２の内部に進入できる。
【００９４】
図１４（Ｄ）を参照して、第２プラグシェル８１を外部シェル２の接続開口２ｈに挿入すると、ヘッダ１ｈを相対的に第２プラグ開口８ｈに進入できる。そして、第２コンタクト４２の接続端子４２ｓを第２プラグコンタント８２ｓに接触できると共に、第３コンタクト４３の接続端子４３ｓを第３プラグコンタント８３ｓに接触できる。これにより、第２コンタクト４２と第２プラグコンタント８２ｓを電気的に接続できると共に、第３コンタクト４３と第３プラグコンタント８３ｓを電気的に接続できる。
【００９５】
図１から図１４を参照すると、実施形態によるコネクタ１０は、外形の異なる二種類の第１プラグ７又は第２プラグ８を共用して挿入できる接続開口２ｈを箱状の外部シェル２の一端部側に形成し、第１プラグ７を外部シェル２の接続開口２ｈに挿入したときは、第１プラグ７を外部シェル２の奥部まで進入でき、第２プラグ８を外部シェル２の接続開口２ｈに挿入したときは、外部シェル２に形成した一対の段差２ｄ・２ｄに、第２プラグ８が当接して進入を阻止することで、第１プラグ７と第２プラグ８を識別できる。
【００９６】
従来技術による複合型コネクタは、規格として外形の異なる二種類のプラグに接続可能な二つのコネクタを高さ方向に積み重ねている。一方、図１から図１３を参照すると、実施形態によるコネクタ１０は、二種類のプラグを共用の接続開口２ｈに挿入して接続できるので、従来の複合型コネクタと比べて低背化できる。
【００９７】
図６又は図１０を参照すると、実施形態によるコネクタ１０は、複数のリード端子３ｒ、リード端子４２ｒ、及び、リード端子４３ｒを整列するストレインリリーフ板５を備えているので、これらのリード端子に有害な力を加えないように保護できる。
【００９８】
図６又は図１１を参照すると、実施形態によるコネクタ１０は、外部シェル２を底部側から覆う、電磁遮蔽が容易なシールドカバー６を更に備えているので、コネクタ１０をプリント基板９ｐに確実に保持できる。シールドカバー６は、コネクタ１０のシールド性能を強化できる。
【符号の説明】
【００９９】
１  ハウジング
１ｈ  ヘッダ
２  外部シェル
２ｈ  接続開口
７  第１プラグ
７ｂ  第１プラグ本体
７ｈ  第１プラグ開口
８  第２プラグ
８ｂ  第２プラグ本体
８ｈ  第２プラグ開口
１０  コネクタ（複合型コネクタ）
７１  第１プラグシェル
７２  第１プラグハウジング
８１  第２プラグシェル
８２  第２プラグハウジング
２１１・２１１  一対の第１側面板
２２１・２２１  一対の第２側面板
【図１】
2019016505.tif 000003
【図２】
2019016505.tif 000004
【図３】
2019016505.tif 000005
【図４】
2019016505.tif 000006
【図５】
2019016505.tif 000007
【図６】
2019016505.tif 000008
【図７】
2019016505.tif 000009
【図８】
2019016505.tif 000010
【図９】
2019016505.tif 000011
【図１０】
2019016505.tif 000012
【図１１】
2019016505.tif 000013
【図１２】
2019016505.tif 000014
【図１３】
2019016505.tif 000015
【図１４】
2019016505.tif 000016